(57)【要約】 【課題】バーナーダクト内の所望位置で着火点を安定させることができ、明滅現象の発生を解消して燃焼効率の高いバーナーおよびバーナーダクトを備えた炉頂燃焼式熱風炉を提供すること。【解決手段】蓄熱室４と、バーナーシステムを備えて蓄熱室４の上部に配設された燃焼室３とから構成された炉頂燃焼式熱風炉１０であって、このバーナーシステムは、燃料ガス管１ｃと燃焼用エア管１ｂ、１ｄを具備するバーナー１と、バーナー１のバーナー出口１ａと連通するバーナーダクト２とから構成され、バーナーダクト２はバーナーダクト出口２ｂを介して燃焼室３に連通しており、バーナーダクト２の途中からバーナーダクト出口２ｂに亘ってバーナーダクト２の口径Ｄ１が拡径された口径拡大部２ｃが設けられており、バーナーダクト２を燃焼室３側へ流れる混合ガスＭＧの渦流ＥＤが該口径拡大部２ｃで形成されるようになっている。【選択図】図４
2012207300.tif 000002
【特許請求の範囲】
【請求項１】
熱風用エアが供給される送風管を備えた蓄熱室と、高炉へ熱風を供給する熱風管とバーナーシステムを備えて蓄熱室の上部に配設された燃焼室と、から構成され、バーナーシステムから燃焼室へ供給された燃料ガスと燃焼用エアの混合ガスの燃焼によって蓄熱室が昇温され、熱風用エアが蓄熱室を通過する過程で生成された熱風を熱風管を介して高炉へ供給する炉頂燃焼式熱風炉であって、
前記バーナーシステムは、燃料ガス管と燃焼用エア管を具備するバーナーと、バーナーのバーナー出口と連通するバーナーダクトと、から構成され、バーナーダクトはバーナーダクト出口を介して燃焼室に連通しており、
バーナーダクトの途中からバーナーダクト出口に亘ってバーナーダクトの口径が拡径された口径拡大部が設けられており、バーナーダクトを燃焼室側へ流れる混合ガスの渦流が該口径拡大部で形成されるようになっている炉頂燃焼式熱風炉。
【請求項２】
バーナーダクトのうち、バーナー出口の近傍にはバーナーダクトの口径が縮径された口径絞り部が設けられ、この口径絞り部で燃料ガスおよび燃焼用エアの混合ガスが形成される請求項１に記載の炉頂燃焼式熱風炉。
【請求項３】
バーナーダクトの径をＤとした際に、口径拡大部のバーナーダクト出口までの長さが０．３Ｄ〜１．４Ｄの範囲となっている請求項１または２に記載の炉頂燃焼式熱風炉。
【発明の詳細な説明】
【技術分野】
【０００１】
本発明は、バーナーシステムに特徴を有する炉頂燃焼式熱風炉に関するものである。
【背景技術】
【０００２】
熱を蓄えた蓄熱室にエアを流通させて熱風を生じさせ、これを高炉へ供給する蓄熱式熱風炉には、円筒外皮内に燃焼室と蓄熱室を併設させた内燃式熱風炉や、燃焼室と蓄熱室を別個の円筒外皮内に設け、双方の外皮の一端で両室を連通させた外燃式熱風炉などがあるが、この外燃式熱風炉と同等の性能を備えながら外燃式熱風炉よりも設備費を低減できる蓄熱式熱風炉として、蓄熱室の上方にバーナーが通じる燃焼室が設けられた炉頂燃焼式熱風炉が特許文献１に開示されている。
【０００３】
ここで、図７の模式図を参照して従来の炉頂燃焼式熱風炉の構成を概説する。同図で示すように、従来の炉頂燃焼式熱風炉Ｆは蓄熱室Ｔの上方に燃焼室Ｎが配置され、いわゆる燃焼時には、この燃焼室Ｎに対してバーナーＢから供給された（Ｘ１方向）燃料ガスと燃焼用エアの混合ガスがバーナーダクトＢＤを通過する過程で着火され、燃焼して高温の燃焼ガスとなって燃焼室Ｎに流入する。このバーナーダクトＢＤは燃焼室Ｎに対して平面的に見て複数箇所に設けてあり、高温の燃焼ガスは燃焼室内で大きく旋回しながら下方へ流下し、燃焼ガスが蓄熱室Ｔを流下する過程（Ｘ２方向）でその熱が蓄熱室Ｔで蓄熱され、蓄熱室Ｔを通過した燃焼ガスは煙道Ｅを介して排気される。なお、バーナーＢとバーナーダクトＢＤをまとめて本明細書ではバーナーシステムと称する。
【０００４】
一方、不図示の高炉へ熱風を供給するいわゆる送風時においては、バーナーダクトＢＤ内の遮断弁Ｖを閉制御し、送風管Ｓを介してたとえば１５０℃程度のエアを蓄熱室Ｔに供給し、エアが蓄熱室Ｔ内を上昇する過程でたとえば１２００℃程度の熱風とされ、この熱風が熱風管Ｈを介して高炉へ供給されることになる（Ｘ３方向）。
【０００５】
ところで、上記する炉頂燃焼式熱風炉に装備されるバーナーの燃焼効率を向上させることは当該技術分野における重要な解決課題の一つであるが、この燃焼効率向上のためには、燃料ガスと燃焼用エアが十分に混合された混合ガスを得ることは勿論のこと、着火点を安定させることが極めて重要であることが知られている。なお、着火点が安定しないと、バーナーダクト内や燃焼室内で着火点が動いてしまい、これが振動燃焼の原因となることも知られている。
【０００６】
この着火点の安定を図るべく、特許文献２では、バーナーとバーナーポート（バーナーダクト）の間にリング状の突起を設け、この突起近傍を着火点として着火位置を安定させる熱風炉用ガスバーナーが開示されており、この熱風炉用ガスバーナーの構造を図８に模擬している。
【０００７】
同図より、バーナーＢを介して供給された燃料ガスと燃焼用エアは、バーナーＢ内もしくはバーナーダクトＢＤ内で混合されて混合ガスを生成する。バーナーダクトＢＤ内の途中位置にはリング状の突起Ｒが設けてあり、この突起ＲによってバーナーダクトＢＤの口径が絞られており、バーナーダクトＢＤはこの突起Ｒよりもガスの流れ方向の上流側空間ＢＤ１と燃焼室Ｎ側の下流側空間ＢＤ２を有することになる。
【０００８】
このようにバーナーダクトＢＤ内にリング状の突起Ｒを設けて口径を絞ることで、この突起Ｒ近傍が着火点となり易く、したがってこの近傍がいわゆる保炎部を形成することになる。さらに、この突起Ｒによってガスの乱流が生ぜしめられて燃料ガスと燃焼用エアの混合が一層促進される。
【０００９】
ところで、バーナーダクトＢＤの途中位置に図示するような突起Ｒを設けて保炎部を形成すると、上流側空間ＢＤ１の下流側には口径を絞る突起Ｒが存在しているため、仮に上流側空間ＢＤ１内で着火が起こると、上流側空間ＢＤ１内の気体が昇温して急激に体積膨張し、この急激な気体の体積膨張によって上流側空間ＢＤ１内の圧力が上昇することで、バーナーＢからの燃料ガスや燃焼用エアの供給が阻害され、これが失火に繋がってしまうという問題がある。
【００１０】
ガス供給が阻害されて失火すると上流側空間ＢＤ１内の圧力が低下し、阻害されていた燃料ガスや燃焼用エアの供給が再開して再び着火することになる。
【００１１】
このように、バーナーダクトＢＤの途中位置に突起Ｒを設けることで、着火と失火を繰り返すいわゆる明滅現象が生じることになり、これが新たな解決課題となっている。
【先行技術文献】
【特許文献】
【００１２】
【特許文献１】特公昭４８−４２８４号公報
【特許文献２】特開昭５２−８９５０２号公報
【発明の概要】
【発明が解決しようとする課題】
【００１３】
本発明は上記する問題に鑑みてなされたものであり、バーナーダクト内の所望位置で着火点を安定させることができ、明滅現象の発生を解消して燃焼効率の高いバーナーシステムを備えた炉頂燃焼式熱風炉を提供することを目的としている。
【課題を解決するための手段】
【００１４】
前記目的を達成すべく、本発明による炉頂燃焼式熱風炉は、熱風用エアが供給される送風管を備えた蓄熱室と、高炉へ熱風を供給する熱風管とバーナーシステムを備えて蓄熱室の上部に配設された燃焼室と、から構成され、バーナーシステムから燃焼室へ供給された燃料ガスと燃焼用エアの混合ガスの燃焼によって蓄熱室が昇温され、熱風用エアが蓄熱室を通過する過程で生成された熱風を熱風管を介して高炉へ供給する炉頂燃焼式熱風炉であって、前記バーナーシステムは、燃料ガス管と燃焼用エア管を具備するバーナーと、バーナーのバーナー出口と連通するバーナーダクトと、から構成され、バーナーダクトはバーナーダクト出口を介して燃焼室に連通しており、バーナーダクトの途中からバーナーダクト出口に亘ってバーナーダクトの口径が拡径された口径拡大部が設けられており、バーナーダクトを燃焼室側へ流れる混合ガスの渦流が該口径拡大部で形成されるようになっているものである。
【００１５】
本発明の炉頂燃焼式熱風炉はそのバーナーシステムを構成するバーナーダクトに改良を加え、バーナーダクトの途中から燃焼室に連通するバーナーダクト出口に亘ってバーナーダクトの口径が拡径された口径拡大部を備えた点に特徴があり、燃料ガスと燃焼用エアの混合ガスがこの口径拡大部を流れる際にここで渦流が生ぜしめられ、この渦流が隣接する燃焼室内の高温雰囲気を巻き込むことで口径拡大部を高温に保ち、もって口径拡大部を保炎部として安定した着火点位置を形成できるものである。なお、口径拡大部で生じる渦流は、混合ガスの渦流は勿論のこと、当該口径拡大部にて混合ガスが着火して生じた燃焼ガスの渦流も含まれる。
【００１６】
口径拡大部は燃焼室に臨むことから、そのガス流れの下流側には従来技術のように口径が絞られた領域が存在せず、したがって、失火と着火を繰り返す明滅現象は生じ得ない。
【００１７】
さらに、上記するように口径拡大部が保炎部となることから、ここを安定した着火点に制御することができる。
【００１８】
そして、このバーナーダクトの構造は、その一部の口径を拡大するだけの極めて簡易な構造改良であることから、製作コストが嵩むこともない。
【００１９】
なお、バーナーから供給される燃料ガスと燃焼用エアは、バーナー内で混合ガスとされてもよいし（いわゆるプレミックス方式）、バーナーダクト内に流入後に混合ガスとされてもよい（いわゆるノズルミックス）。たとえば、バーナーが同心で３孔式の多重管構造であってそれぞれの管路内を燃料ガスと燃焼用エアが流通する形態において、それぞれの管路がバーナーダクト側に向かって傾斜し、バーナーダクト内に入った後に混合される形態や、それぞれの管路内に旋回用羽根等が設けてあり、管路内で形成されたガスの螺旋流がバーナー内もしくはバーナーダクト内で混合ガスとされる形態などが挙げられる。
【００２０】
また、バーナーダクトのうち、バーナー出口の近傍にはバーナーダクトの口径が縮径された口径絞り部が設けられ、この口径絞り部で燃料ガスおよび燃焼用エアの混合ガスが形成される形態であってもよい。
【００２１】
本実施の形態は、燃料ガスと燃焼用エアの混合をより一層促進するべく、バーナーダクトにおけるバーナー出口の近傍、すなわち燃焼室から遠い位置に口径絞り部を設けたものである。
【００２２】
この口径絞り部の実施の形態としては、従来技術と同様にリング状の突起を挙げることができるが、ガスの混合性を高める観点から、バーナー側から燃焼室側に向かってその内空が漸次縮径した形態のリング状の突起などを適用できる。
【００２３】
また、「バーナー出口の近傍」とは、バーナー出口位置や、バーナーダクトの途中に設けられる遮断弁よりもバーナー側となる任意の位置を意味しており、従来技術のように燃焼室に近い位置を排除する意味である。なお、バーナー出口の近傍に口径絞り部を設置しても、口径絞り部の上流側での着火は起こらないため、明滅現象は発生しない。
【００２４】
本実施の形態のバーナーダクトによれば、口径絞り部で燃料ガスと燃焼用エアの混合がより一層促進され、十分に混合された混合ガスが保炎部となっている口径拡大部に導入されてここで着火され、燃焼される。
【００２５】
また、バーナーダクトの径をＤとした際に、口径拡大部のバーナーダクト出口までの長さが０．３Ｄ〜１．４Ｄの範囲となっている実施の形態が好ましい。
【００２６】
本発明者等は、従来構造のバーナーシステムと本発明の炉頂燃焼式熱風炉を構成するバーナーシステムそれぞれの燃焼効率を比較する実験をおこなっている。
【００２７】
より具体的には、燃焼効率の高低を未燃ＣＯガス量で特定するものであり、本発明の熱風炉を構成するバーナーダクトの特徴構成である口径拡大部の長さ、すなわち口径拡大部のバーナーダクト出口までの長さをパラメータとして各実験モデルでの未燃ＣＯガス量をそれぞれ測定したものである。
【００２８】
この実験の結果、バーナーダクトの径をＤとした際に、口径拡大部のバーナーダクト出口までの長さが０．３Ｄ〜１．４Ｄの範囲の場合に未燃ＣＯ量（比率）は最も少なくなることが実証されている。
【００２９】
上記実験結果は燃焼効率の最適値を与える口径拡大部の長さ範囲を特定するものであるが、本発明者等によれば、口径拡大部の長さが１．４Ｄよりも長くなると口径拡大部における保炎性能が低下して着火位置の安定性が低下し得ること、および、口径拡大部の長さが０．３Ｄよりも短くなると、燃焼室内で大きく旋回する燃焼ガスが横風となって口径拡大部内に及び、これが失火の原因になり得ることといった観点からも本実験で特定された口径拡大部の長さが最適な長さであるとしている。
【発明の効果】
【００３０】
以上の説明から理解できるように、本発明の炉頂燃焼式熱風炉によれば、その構成要素であるバーナーシステムを構成するバーナーダクトにおいて、その途中から燃焼室に連通するバーナーダクト出口に亘って口径が拡径された口径拡大部を設けたことにより、燃料ガスと燃焼用エアの混合ガスがこの口径拡大部を流れる際にここで渦流が生ぜしめられ、この渦流が隣接する燃焼室内の高温雰囲気を巻き込むことで口径拡大部を高温に保ち、もって口径拡大部を保炎部として着火点を安定させるとともに、明滅現象を解消して燃焼効率を高めることができる。
【図面の簡単な説明】
【００３１】
【図１】本発明の炉頂燃焼式熱風炉の一実施の形態を示した模式図であって、混合ガス、燃焼ガス、熱風用エアおよび熱風の各流れをともに示した図である。
【図２】図１のII−II矢視図である。
【図３】図１のIII−III矢視図であって、燃焼室内における燃焼ガスの流れをともに示した図である。
【図４】バーナーダクトの一実施の形態の縦断面図である。
【図５】バーナーダクトの他の実施の形態の縦断面図である。
【図６】バーナーダクトの口径拡大部の長さと未燃ＣＯ量の関係に関する実験結果を示すグラフである。
【図７】従来の炉頂燃焼式熱風炉の一実施の形態を示した模式図であって、混合ガス、燃焼ガス、熱風用エアおよび熱風の各流れをともに示した図である。
【図８】従来のバーナーダクト構造を示した模式図である。
【発明を実施するための形態】
【００３２】
以下、図面を参照して本発明の炉頂燃焼式熱風炉の実施の形態を説明する。
【００３３】
図１は本発明の炉頂燃焼式熱風炉の一実施の形態を示した模式図であって、混合ガス、燃焼ガス、熱風用エアおよび熱風の各流れをともに示した図であり、図２は図１のII−II矢視図であり、図３は図１のIII−III矢視図であって、燃焼室内における燃焼ガスの流れをともに示した図である。さらに、図４はバーナーダクトの一実施の形態の縦断面図である。
【００３４】
図１で示す炉頂燃焼式熱風炉１０は、蓄熱室４の上方に燃焼室３が配置され、この燃焼室３にはバーナー１から供給された（Ｘ１方向）燃料ガスと燃焼用エアの混合ガスがバーナーダクト２を通過する過程で着火され、燃焼して高温の燃焼ガスとなって燃焼室３に流入するものである。なお、バーナー１とバーナーダクト２からバーナーシステムが構成される。
【００３５】
図３で示すように、バーナーダクト２は燃焼室３に対して平面的に見て４箇所設けてあり、各バーナーダクト２はいずれも、燃焼室３への燃焼ガスの流入方向が平面視円形の燃焼室３の中心Ｏを通らない偏心位置で燃焼室３に通じており、その結果として、各バーナーダクト２から燃焼室３内に流入した燃焼ガスは他の隣接するバーナーダクト２から燃焼室３内に流入した燃焼ガスと干渉してそれぞれの燃焼ガスの流れ方向が転換され、燃焼室３内には図示するような大きな燃焼ガスの旋回流Ｘ４が形成されることになる。
【００３６】
この燃焼ガスは、図３で示すように平面的には旋回しながら、縦断面的には図１のＸ２方向で降下する螺旋流を形成しながら蓄熱室４を流下し、この流下過程でその熱が蓄熱室４で蓄熱され、蓄熱室４を通過した燃焼ガスは遮断弁７ａが開制御された煙道管７を介して排気される。そして、従来構造の炉頂燃焼式熱風炉では、燃焼促進ために上記する燃焼ガスの平面的な旋回を促進させるものであったが、図示する炉頂燃焼式熱風炉１０における燃焼ガスの平面的な旋回は、当該燃焼ガスを可及的均一に蓄熱室４に供給させることが主たる目的であることから、従来構造の熱風炉の燃焼室に比して燃焼室３の規模を小規模なものとできる。
【００３７】
図２で示すようにバーナー１は同心で３孔式の多重管路であり、図４で示すように、内側管１ｂには燃焼用エアＡ１が流れ、中管１ｃには燃料ガスＧが流れ、外側管１ｄには別途の燃焼用エアＡ２が流れるようになっており、各管路ともにバーナーダクト２側に向かって縮径（傾斜）していることにより、これらがバーナーダクト２内に流入した段階で相互に混合されて混合ガスが生成されるようになっている。なお、各管路を流れる燃料ガスと燃焼用エアが逆の態様で流れてもよいし、各管路内に旋回ばねが設けてあって、各管路をガスが流れる過程で螺旋流が生ぜしめられ、バーナーダクト内で螺旋流同士が混合される形態であってもよい。
【００３８】
図１に戻り、不図示の高炉へ熱風を供給する際には、バーナーダクト２内の遮断弁２ａ、煙道管７内の煙道弁７ａを閉制御し、遮断弁６ａが開制御された送風管６を介してたとえば１５０℃程度の高温エアを蓄熱室４に供給し、高温エアが蓄熱室４内を上昇する過程でたとえば１２００℃程度の熱風とされ、この熱風が遮断弁５ａが開制御された熱風管５を介して高炉へ供給されることになる（Ｘ３方向）。
【００３９】
図４で示すように、バーナーダクト２には、その途中からバーナーダクト出口２ｂに亘ってその口径Ｄ１が拡径された口径拡大部２ｃ（口径Ｄ２）が設けられており、バーナーダクト２を燃焼室３側へ流れる混合ガスＭＧがこの口径拡大部２ｃを通過する過程で渦流ＥＤが生ぜしめられ、この渦流ＥＤが隣接する燃焼室３内の高温雰囲気を巻き込む（図４で燃焼室３から口径拡大部２ｃへ向かう矢印参照）ことで口径拡大部２ｃは高温に保たれ、もって口径拡大部２ｃは保炎部となってここが安定した着火点位置となる。なお、ここで形成される渦流ＥＤは混合ガスからなるもののほかにも、口径拡大部２ｃにて混合ガスＭＧが着火して生じた燃焼ガス成分も渦流ＥＤに含まれ得る。なお、図４で示すように、バーナーダクト２において口径拡大部２ｃへ移行する隅角部を面取りすることで（テーパー状とする）、渦流ＥＤを生じさせ易くでき、さらに、面取りしない場合に比してこの領域における耐火物の欠落等を格段に低減させることができる。
【００４０】
この口径拡大部２ｃは、混合ガスＭＧの渦流ＥＤを生ぜしめて燃焼室３から高温雰囲気を巻き込み、保炎部を形成して着火点を安定させることに加えて、そのガス流れの下流側が絞られていないことから着火と失火を繰り返す明滅現象も生じない。
【００４１】
このように、図示するバーナーダクト２は、その燃焼室３側の一定領域に口径拡大部２ｃを設けただけの極めて簡易な構造改良によるものであり、したがって製作コストが嵩むことなく、バーナーダクト２内での着火の安定性を保証し、明滅現象を解消して燃焼性に優れたバーナーダクトとなっている。
【００４２】
一方、図５で示すバーナーダクト２Ａは、バーナー出口１ａの近傍にバーナーダクト２Ａの口径が縮径されたリング状の口径絞り部２ｄが設けられたものである。同図において、口径絞り部２ｄの内径はＤ３となっている。
【００４３】
バーナー１からバーナーダクト２Ａへ向かって傾斜した管路１ｂ、１ｃ、１ｄを流れてきた燃料ガスＧや燃焼用エアＡ１，Ａ２は、バーナーダクト２Ａへの流入直後に混合されるが、バーナーダクト２Ａにおけるバーナー出口１ａの近傍に口径絞り部２ｄが設けられていることで、燃料ガスＧと燃焼用エアＡ１，Ａ２の混合はより一層促進される。その後、バーナーダクト２Ａを燃焼室３側へ流れる混合ガスＭＧが口径拡大部２ｃを通過する過程で渦流ＥＤが生ぜしめられ、この渦流ＥＤが隣接する燃焼室３内の高温雰囲気を巻き込む（図５で燃焼室３から口径拡大部２ｃへ向かう矢印参照）ことで口径拡大部２ｃは高温に保たれ、もって口径拡大部２ｃは保炎部となってここが安定した着火点位置となる。なお、図示する口径絞り部２ｄはバーナー出口１ａから若干離れた位置に配設されているが、バーナー出口１ａの位置に配設されてもよい。
【００４４】
[バーナーダクトの燃焼効率に関する実験とその結果]
本発明者等は、従来構造のバーナーシステム（比較例）と、本発明の炉頂燃焼式熱風炉を構成するバーナーシステム（実施例）それぞれの燃焼効率を比較する実験をおこなった。
【００４５】
実験の概要は、図４で示すバーナーシステムに関し、バーナーダクトの口径拡大部の長さＬを０Ｄ１（口径拡大部なし）〜２Ｄ１まで種々変化させた複数種のバーナーシステムを試作し、各バーナーシステムに対して未燃ＣＯガス量を測定し、口径拡大部なしの場合の測定量を１に正規化して、各測定量をそれに対する比率で特定したものである。その結果を図６に示す。
【００４６】
図６から明らかなように、未燃ＣＯガス量は口径拡大部の長さが０．３Ｄ１となるまで減少傾向にあり、０．３Ｄ１で変曲点を向かえて口径拡大部なしの場合の１／４となり、口径拡大部の長さがさらに長くなるにつれて１／１３まで減少し、その後増加に転じて１．４Ｄ１で変曲点を向かえて口径拡大部なしの場合の１／４となることが実証されている。
【００４７】
０．３Ｄ１〜１．４Ｄ１の範囲の口径拡大部の長さが燃費性の観点から好ましい長さであることは本実験にて実証されたが、本発明者等によれば、この口径拡大部の長さが好ましい他の理由として、口径拡大部の長さが長くなり過ぎると口径拡大部における保炎性能が低下して着火位置の安定性が低下し得ること、口径拡大部の長さが短か過ぎると、燃焼室内で大きく旋回する燃焼ガスが横風となって口径拡大部内に及び、これが失火の原因になり得ることからも、これが最適長さ範囲であると特定している。
【００４８】
以上、本発明の実施の形態を図面を用いて詳述してきたが、具体的な構成はこの実施形態に限定されるものではなく、本発明の要旨を逸脱しない範囲における設計変更等があっても、それらは本発明に含まれるものである。
【符号の説明】
【００４９】
１…バーナー、１ｂ…内側管、１ｃ…中管、１ｄ…外側管、１ａ…バーナー出口、２，２Ａ…バーナーダクト、２ａ…遮断弁、２ｂ…バーナーダクト出口、２ｃ…口径拡大部、２ｄ…口径絞り部、３…燃焼室、４…蓄熱室、５…熱風管、６…送風管、７…煙道管、１０…炉頂燃焼式熱風炉、Ｇ…燃料ガス、Ａ１，Ａ２…燃焼用エア、ＭＧ…混合ガス、ＥＤ…渦流
【図１】
2012207300.tif 000003
【図２】
2012207300.tif 000004
【図３】
2012207300.tif 000005
【図４】
2012207300.tif 000006
【図５】
2012207300.tif 000007
【図６】
2012207300.tif 000008
【図７】
2012207300.tif 000009
【図８】
2012207300.tif 000010
【手続補正書】
【提出日】平成24年1月16日(2012.1.16)
【手続補正１】
【補正対象書類名】特許請求の範囲
【補正対象項目名】全文
【補正方法】変更
【補正の内容】
【特許請求の範囲】
【請求項１】
熱風用エアが供給される送風管を備えた蓄熱室と、高炉へ熱風を供給する熱風管とバーナーシステムを備えて蓄熱室の上部に配設された燃焼室と、から構成され、バーナーシステムから燃焼室へ供給された燃料ガスと燃焼用エアの混合ガスの燃焼によって蓄熱室が昇温され、熱風用エアが蓄熱室を通過する過程で生成された熱風を熱風管を介して高炉へ供給する炉頂燃焼式熱風炉であって、
前記バーナーシステムは、燃料ガス管と燃焼用エア管を具備するバーナーと、バーナーのバーナー出口と連通するバーナーダクトと、から構成され、バーナーダクトはバーナーダクト出口を介して燃焼室に連通しており、
バーナーダクトは、その途中までの内径がＤ１、途中からバーナーダクト出口に亘ってバーナーダクトの内径が拡径されてなる内径Ｄ２の口径拡大部が設けられており、バーナーダクトを燃焼室側へ流れる混合ガスの渦流が該口径拡大部で形成されるようになっており、
バーナーダクトの前記途中までの内径Ｄ１に対し、口径拡大部のバーナーダクト出口までの長さが０．３Ｄ１〜１．４Ｄ１の範囲となっており、
前記渦流によって前記燃焼室から高温雰囲気を巻き込み、保炎部を形成して着火点を安定させるようになっている炉頂燃焼式熱風炉。
【請求項２】
バーナーダクトのうち、バーナー出口位置にはバーナーダクトの内径が縮径された口径絞り部が設けられ、この口径絞り部で燃料ガスおよび燃焼用エアの混合ガスが形成される請求項１に記載の炉頂燃焼式熱風炉。